(57)【要約】【課題】  簡便に開封することができるとともに開封する際に内部の物品に損傷を与えない。【解決手段】  折り目部分を折り曲げて物品を囲い、最終的に二つの長手折返部１０、１３が突き合う部分１６、１７をテープで封緘することにより物品を梱包する梱包用紙１であって、二つの長手折返部１０、１３の一方の裏面側に厚紙２８を固定することにより、二つの長手折返部１０、１３の突き合う部分１６、１７の下に厚紙２８が位置するようにし、開封する際に内部の物品に損傷を与えない。【選択図】              図１
2005170445.tif 000002
【特許請求の範囲】
【請求項１】
折り目部分を折り曲げて物品を囲い、最終的に二つの折り曲げ片が突き合う部分をテープで封緘することにより前記物品を梱包する梱包用紙であって、前記二つの折り曲げ片の内、一方の折り曲げ片の裏面に薄板状帯材を固定することにより、前記二つの折り曲げ片の突き合う部分の下に前記薄板状帯材が位置するようにしてなる梱包用紙。
【発明の詳細な説明】
【技術分野】
【０００１】
本発明は、物品を梱包する梱包用紙に関するものである。
【背景技術】
【０００２】
従来、物品を梱包した箱体、たとえばダンボール紙などの梱包用紙を折り曲げて形成した箱体を開封して内部の物品を取り出すには、カッターナイフなどの刃物の先端を箱体の合せ目に貼着したテープに当ててカットすることが行われる。しかし、この方法によると、得てして刃物の先端が過度に梱包用紙に食い込むことがあるので、内部に梱包された物品を傷つけることがある。
【０００３】
これを防止するため、箱体を開封するときに各種の開封用工具を使用することが行われる。たとえば平板状の基板の一側に先端が突出する尖端刃先部を形成し、この尖端刃先部の刃に沿って延びる基板の側縁に横刃先部を形成し、さらに、基板の上にはハンドルを設け、このハンドルの上記尖端刃先部側には縦刃先部が形成された開封用工具（特許文献１）が知られている。
【０００４】
この工具によって箱体を開封するときは、この工具の尖端刃先部を箱体の外フラップと内フラップの間に差し込み、上記縦刃先部を外フラップの突き合せ部に沿って基板を移動させることにより箱体を開封することができる。
【０００５】
また、箱体を開封する別の工具として、切断刃を出没自在に収容するとともに物品に当接する摺動面を有する案内板が形成され、切断刃は表面側を切断する第一刃と、裏面側を切断する第二刃とを有し、先端には保護縁が形成さたものが知られている（特許文献２）。
【０００６】
この工具によって箱体を開封するには、箱体の表面側から第二刃を貫通させるとともに、案内板を表面に当接し第一刃の刃先を差し込む。第一刃で内面側に残余部を残して箱体の表面側に切れ目を入れ、第二刃の刃先で内面側から残余部を切断する。切断刃は梱包物品側に保護縁を有するので物品を傷つけない。
【特許文献１】実用新案登録第３０３６０５３号公報
【特許文献２】特開平１０−２９５９５２号公報
【発明の開示】
【発明が解決しようとする課題】
【０００７】
しかしながら、上記いずれかの開封用工具を使用して箱体を開封することは、これらの工具が開封作業のために専用に製作されたものであるから、どこにでもあるものではなく、前もって製作し準備をしておかなくてはならない。開封する場所には常時これらの専用の開封用工具を揃えておかなければならないので煩雑であった。
【０００８】
本発明は、簡便に開封することができるとともに開封する際に内部の物品に損傷を与えないことを課題とする。
【課題を解決するための手段】
【０００９】
上記課題を解決するため、本発明は、折り目部分を折り曲げて物品を囲い、最終的に二つの折り曲げ片が突き合う部分をテープで封緘することにより物品を梱包する梱包用紙であって、二つの折り曲げ片の内、一方の折り曲げ片の裏面に薄板状帯材を固定することにより、二つの折り曲げ片の突き合う部分の下に薄板状帯材が位置するようにしてなることを特徴とする。
【００１０】
このようにすることにより、物品をこの梱包用紙で梱包した箱体を開封するときには、箱体の二つの折り曲げ片の突き合う部分に設けたテープにカッターナイフの先端を入れて切り込むことにより開封する。このとき二つの折り曲げ片の突き合う部分の下には薄板状帯材が位置するので、カッターナイフの先端は内部の物品まで届かず、物品に無用な傷などの損傷を与えることが無い。
【００１１】
次に本発明を構成する各要件についてさらに詳しく説明する。本発明の梱包用紙で梱包する物品は特に限定されないが、たとえば扉、障子、襖などの建具や什器など木質系物品に対しては最適である。梱包用紙の形状は、最終的に二つの折り曲げ片が突き合うものであれば特に限定されない。梱包用紙の材料としては、汎用のダンボール紙、比較的硬い厚紙などで、その厚みは、たとえば１ｍｍ〜６ｍｍ程度である。
【００１２】
薄板状帯材は、梱包用紙の二つの折り曲げ片の内、一方の折り曲げ片の裏面に固定するが、厚紙、樹脂板、金属板などを使用することができる。その厚み×幅は、厚紙の場合、たとえば１×１０ｍｍ前後である。この場合、梱包用紙で物品を梱包したときに、二つの折り曲げ片の突き合う部分の下にこの薄板状帯材が位置するようにする。薄板状帯材の固定の方法としては、接着剤による貼着、粘着テープによる固定、その他適宜の方法による。また、テープとしては、塩化ビニールなどの樹脂テープ、布、紙などの粘着テープなどが使用できる。
【発明の効果】
【００１３】
本発明の梱包用紙を使用することにより物品を梱包した箱体を開封するときは、カッターナイフなどの汎用的な刃物を使用してテープ部分を切り込み、簡便に開封することができる。さらに、開封の際に内部に梱包された物品に傷などの損傷を与えないようにすることができる。
【発明を実施するための最良の形態】
【００１４】
以下、本発明に係る梱包用紙の一実施例を図面に基づいて詳細に説明する。なお、図１〜４において、同一または同等部分には同一符号を付けて示す。
【実施例１】
【００１５】
図１は、本発明に係る梱包用紙の一実施例を示す平面図である。ダンボール紙（梱包用紙）１は、木質系物品、たとえば扉、障子、襖などの建具部材を梱包する際に最適である。ダンボール紙１の形状は略矩形状で、折り目２ａ、２ｂ、３、４により複数の小矩形に区画されている。すなわち、ダンボール紙１は、平板状の底部５と、この底部５の一方向の対向する二辺に延在する二つの長手側部７、８および他方向の対向する二辺に延在する二つの短手側部１９、２０とを備える。
【００１６】
さらに、二つの長手側部７、８の一方向の先端側辺に延在する二つの長手折返部（折り曲げ片）１０、１３と、二つの長手側部７、８の他方向両端に延在する袖部２２、２３と、二つの長手折返部１０、１３の他方向両端に延在する短手折返部２５、２６とを備える。ダンボール紙１は、内部に梱包する物品の種類、大きさ、重さなどにより、その大きさ、厚みが左右されるが、たとえば木質系扉を梱包するためのダンボール紙の場合、底部５の大きさは、幅１１００ｍｍ×長さ２１００ｍｍ×厚み５ｍｍなどである。
【００１７】
さらに、ダンボール紙１は、その長手折返部１０、１３の内、一方の長手折返部、たとえば長手折返部１３側の裏面１４に厚紙（薄板状帯材）２８が接着剤により固定されている。こうすることにより、厚紙２８は二つの長手折返部の突き合う部分１６、１７が突き合わされたときに、その下に位置するようになる。厚紙２８の厚みと幅は、凡そ厚み１ｍｍ、幅１０ｍｍの帯材で、長手折返部の裏面１４に約５ｍｍほど重ねて貼着される。
【００１８】
図２は、図１に示すダンボール紙１を、その折り目に沿って途中まで折り曲げた状態の斜視図である。図３は、図２の状態からさらに折り曲げた状態の側面図である。図２に示すように、物品を梱包するため、このダンボール紙１を箱体に折り曲げるときは、物品を底部５の上に置いた後、先ず底部５の二辺の折り目２ａ部分を折り曲げ、さらに、二つの長手側部７、８の一方向先端の折り目３部分で二つの長手折返部１０、１３を折り返す。
【００１９】
さらに、二つの長手側部７、８の他方向両端の袖部２２、２３を内側に折り曲げ、その後、短手折返部２５、２６を袖部２２、２３の外側に位置するように折り曲げる。そして、底部に隣接する短手側部１９、２０をそれぞれ短手折返部２５、２６の外側に位置するように折り曲げる。
【００２０】
図３に示すように、厚紙２８は、長手折返部１３の裏面１４側に、その幅の約二分の一だけ重なって固定されていることが分かる。
【００２１】
図４は、図３の状態からさらに長手折返部１０、１３を折り曲げてテープ３０により封緘した状態の斜視図である。最終的に二つの長手折返部１０、１３が突き合う部分１６、１７をテープ３０で封緘することにより図示していない物品が梱包されるものである。テープ３０としては、塩化ビニールなどの樹脂テープ、布、紙などの粘着テープが使用される。
【００２２】
以上の構成を有する本実施例の梱包用ダンボール紙１は、次のように作用する。すなわち、図４に示すように、この梱包用ダンボール紙１で梱包された物品の箱体を開封するときは、テープ３０に図示していないカッターナイフを入れる。このとき二つの長手折返部の突き合う部分１６，１７の下には厚紙２８が位置するので、カッターナイフを入れても内部の物品まで届かず、物品に損傷を与えることが無い。
【００２３】
以上この発明を図示の実施例について詳しく説明したが、それを以ってこの発明をそれらの実施例のみに限定するものではなく、この発明の精神を逸脱せずして種々改変を加えて多種多様の変形をなし得ることは云うまでもない。
【産業上の利用可能性】
【００２４】
本発明の梱包用紙は、たとえば建具、家具、什器などの物品を梱包する際に利用可能である。
【図面の簡単な説明】
【００２５】
【図１】本発明に係る梱包用紙の一実施例を示す平面図である。
【図２】図１に示す梱包用紙を、その折り目に沿って途中まで折り曲げた状態の斜視図である。
【図３】図２の状態からさらに折り曲げた状態の側面図である。
【図４】図３の状態からさらに折り曲げてテープで封緘した状態の斜視図である。
【符号の説明】
【００２６】
１  ダンボール紙（梱包用紙）
２ａ、２ｂ  折り目
３、４  折り目
１０  長手折返部（一方の折り曲げ片）
１１  裏面
１３  長手折返部（他方の折り曲げ片）
１４  裏面
１６、１７  突き合う部分
２８  厚紙（薄板状帯材）
３０  テープ
【図１】
2005170445.tif 000003
【図２】
2005170445.tif 000004
【図３】
2005170445.tif 000005
【図４】
2005170445.tif 000006